(57)【特許請求の範囲】
【請求項１】
ライター本体内に形成されたガスタンクと、該ガスタンクの上方開口部を気密に閉塞するタンク上蓋と、該タンク上蓋に挿着され上端にノズル螺子を介してガス噴出ノズルを引出自在に突出させたバルブ機構と、前記ガス噴出ノズルの上端側に連通された内燃機構と、圧電素子を打撃機構で打撃して高電圧を生じせしめる圧電ユニット等の点火手段と、前記ガス噴出ノズルのガス噴出量を調整するガス量調整螺子とを備えてなり、かつ、該ガス量調整螺子は、前記ノズル螺子の外周に組み付けられる第１リング体と、該第１リング体の上位に間隔保持部を介して同心配置に連結された第２リング体とからなり、前記第１リング体を前記ノズル螺子に組み付けた際、前記第２リング体がライター本体の上端開口縁上に位置決め配置されると共に、ガス噴出ノズルに係合される弁操作レバーにて抜け止めされ、かつ、少なくとも混合管、拡散器、燃焼筒を備える前記内燃機構と、前記燃焼筒内に放電せしめる放電端子と、該放電端子と一方の電極とを電気的に接続してなる圧電ユニットとを一つに纏めて保持せしめた取付ホルダーを、ライター本体内の縦穴に挿着支持して前記ガス噴出ノズル上に前記内燃機構を整合配置してなる内燃式ガスライターにおいて、
前記取付ホルダーは、前記混合管に突設した連結部材を下から受けるべく突設された連結部と、ライター本体内の縦穴に挿着支持された際、一端がガス噴出ノズルに支持される弁操作レバーの解放端下に係止される係止部とを備えたことを特徴とする内燃式ガスライター。
【発明の詳細な説明】
【０００１】
【発明の属する技術分野】
本発明は、ライター本体内で混合ガスの着火、燃焼が行われる内燃式ガスライターの改良に関し、更に詳しくは、このような内燃式ガスライターでありながらも任意にバーナー着火の火力を調整することができると共に、噴出ノズルに必要以上の加重負担をかけることなく簡単かつコンパクトにして混合管、燃焼筒等の内燃機構を組み付けできる内燃式ガスライターに関する。
【０００２】
【従来の技術】
一般に、ガスライターは、着火操作子の押し下げ操作によってガス噴出ノズルが操作されてガスの噴出が始まると共に、着火手段が操作されて火花が発生し、ガス着火が行われるようになっている。斯かるガスライターには、大別して、発火石をヤスリで擦り、その際の火花で着火させるヤスリ式ライター（所謂、フリント式ライター）や、圧電素子を打撃機構で打撃して高電圧を生じさせる圧電ユニットを使用し、火花放電で着火させる圧電着火式ライター（所謂、ピエゾライター）があり、また、斯かるピエゾライターの頂部に蓋体を開閉自在に被冠させ、斯かる蓋体の開閉操作で前記圧電ユニットを動作させる蓋付内燃式ガスライター等々がある。
【０００３】
而して、これらガスライターのうち、殊に昨今の圧電着火式ガスライターにあっては、ライター本体内に燃焼筒等が内蔵されてライターの本体内で空気と混合されたガスの着火、燃焼が行われる、所謂、内燃式ガスライターと称される耐風性（ＷＩＮＤ−ＰＲＯＯＦ）ガスライターが既に種々と案出されている。
【０００４】
従来、斯かる内燃式ガスライターとしては、例えば、特開昭６３−９１４３１号公報に開示されたものが従来例として周知である。この従来のライターは、図１４に示すように、燃料ガスが充填されるガスタンクと、該ガスタンクからの燃料ガスを流速を強めて噴出させることにより生ずる負圧によって空気を吸い込ませる吸気孔６ｂ１  ，６ｂ１  …を有し、燃料ガスと空気との混合を促進させる混合管６ｂと、この混合ガスの流速を減速し拡散させるために前記混合管６ｂと連設させた拡散器６ｃと、該拡散器６ｃにより空気と混合されたガス（混合ガス）を更に減速と拡散をさせて点火と燃焼に充分な流速の空気との混合ガスにするための前記拡散器６ｃに連設させた燃焼筒６ｄと、該燃焼筒６ｄ内の可燃焼ガスに点火する点火手段とを備えることにより、ライター本体内で着火燃焼が行なわれるように構成されている。
【０００５】
【発明が解決しようとする課題】
しかしながら、上述した特開昭６３−９１４３１号公報に開示された内燃式ガスライターにあっては、ジェット噴流で醸し出す混合ガスが燃焼されてバーナー状に着火するため、強風下でも問題なく使用できるといった利点を有するものの、ガス量調整螺子がないため、任意にバーナー着火の火力を調整することができないといった問題を有すると共に、内燃機構６を構成する混合管６ｂ、拡散器６ｃ、燃焼筒６ｄの重合組み付けが面倒であると共に、これらがガス噴出ノズル４ｃ上に積層状態に支持されるため、同ガス噴出ノズル４ｃへの加重負担が大きくなり、弁操作レバーによるガス噴出ノズル４ｃの引き出し（開弁）操作がなしづらいといった問題を有するものであった。
【０００６】
本発明はこのような従来の問題点に鑑みてなされたもので、内燃式ガスライターでありながらも任意にバーナー着火の火力を調整することができると共に、噴出ノズルに必要以上の加重負担をかけることなく簡単かつコンパクトに混合管、燃焼筒等の内燃機構を組み付けできる内燃式ガスライターを提供することを目的としたものである。
【０００７】
【課題を解決するための手段】
上述の如き従来の問題点を解決し、所期の目的を達成するため本発明の要旨とする構成は、ライター本体内に形成されたガスタンクと、該ガスタンクの上方開口部を気密に閉塞するタンク上蓋と、該タンク上蓋に挿着され上端にノズル螺子を介してガス噴出ノズルを引出自在に突出させたバルブ機構と、前記ガス噴出ノズルの上端側に連通された内燃機構と、圧電素子を打撃機構で打撃して高電圧を生じせしめる圧電ユニット等の点火手段と、前記ガス噴出ノズルのガス噴出量を調整するガス量調整螺子とを備えてなり、かつ、該ガス量調整螺子は、前記ノズル螺子の外周に組み付けられる第１リング体と、該第１リング体の上位に間隔保持部を介して同心配置に連結された第２リング体とからなり、前記第１リング体を前記ノズル螺子に組み付けた際、前記第２リング体がライター本体の上端開口縁上に位置決め配置されると共に、ガス噴出ノズルに係合される弁操作レバーにて抜け止めされ、かつ、少なくとも混合管、拡散器、燃焼筒を備える前記内燃機構と、前記燃焼筒内に放電せしめる放電端子と、該放電端子と一方の電極とを電気的に接続してなる圧電ユニットとを一つに纏めて保持せしめた取付ホルダーを、ライター本体内の縦穴に挿着支持して前記ガス噴出ノズル上に前記内燃機構を整合配置してなる内燃式ガスライターにおいて、前記取付ホルダーは、前記混合管に突設した連結部材を下から受けるべく突設された連結部と、ライター本体内の縦穴に挿着支持された際、一端がガス噴出ノズルに支持される弁操作レバーの解放端下に係止される係止部とを備えてなる内燃式ガスライターに存する。
【００１２】
このように構成される本発明の内燃式ガスライターは、ライター本体内に形成されたガスタンクと、該ガスタンクの上方開口部を気密に閉塞するタンク上蓋と、該タンク上蓋に挿着され上端にノズル螺子を介してガス噴出ノズルを引出自在に突出させたバルブ機構と、前記ガス噴出ノズルの上端側に連通された内燃機構と、圧電素子を打撃機構で打撃して高電圧を生じせしめる圧電ユニット等の点火手段と、前記ガス噴出ノズルのガス噴出量を調整するガス量調整螺子とを備えてなり、かつ、該ガス量調整螺子は、前記ノズル螺子の外周に組み付けられる第１リング体と、該第１リング体の上位に間隔保持部を介して同心配置に連結された第２リング体とからなり、前記第１リング体を前記ノズル螺子に組み付けた際、前記第２リング体がライター本体の上端開口縁上に位置決め配置されると共に、ガス噴出ノズルに係合される弁操作レバーにて抜け止めされ、かつ、少なくとも混合管、拡散器、燃焼筒を備える前記内燃機構と、前記燃焼筒内に放電せしめる放電端子と、該放電端子と一方の電極とを電気的に接続してなる圧電ユニットとを一つに纏めて保持せしめた取付ホルダーを、ライター本体内の縦穴に挿着支持して前記ガス噴出ノズル上に前記内燃機構を整合配置してなる内燃式ガスライターにおいて、前記取付ホルダーは、前記混合管に突設した連結部材を下から受けるべく突設された連結部と、ライター本体内の縦穴に挿着支持された際、一端がガス噴出ノズルに支持される弁操作レバーの解放端下に係止される係止部とを備えてなることによって、燃焼筒、拡散器、混合管の加重が直接的に取付ホルダーにかかることとなる。
【００１７】
【発明の実施の形態】
次に本発明の実施の一例を図面を参照しながら説明する。図中Ａは、本発明に係る内燃式ガスライターであり、この内燃式ガスライターＡは、図１若しくは図２に示すように、ライター本体１内に形成されたガスタンク２の上方に一体成形されたタンク上蓋３を備えている。
【００１８】
タンク上蓋３内には、上方が開口された有底筒状の嵌合凹部３ａが一体成形されており、該嵌合凹部３ａの底面中央に開口された前記ガスタンク２と通じる透孔３ｂを介してバルブ４が気密に圧入されている。
【００１９】
このバルブ機構４は、頂部端面に開口（図示せず）を有する筒蓋状のノズル螺旋４ａと、該ノズル螺旋４ｂの下方開口部に嵌合された有底筒状のノズル底栓体４ｂとで内部に弁室（図示せず）を形成しているもので、この弁室内には、Ｏリング、スプリングを介してガス噴出ノズル４ｃが上端を前記ノズル螺旋４ａの開口より外方へ突出すべく装着されている（図２参照）。
【００２０】
また、前記ガス噴出ノズル４ｃの頸部には、上下に揺動自在に支持された後述の弁操作レバー９の一方端が係合されているもので、該弁操作レバー１１の持ち上げ操作により前記ガス噴出ノズル４ｃの頸部が引出方向に動作されて弁が開きガスの噴出が始まるように組み付けられている。
【００２１】
更に、ノズル底栓体４ｂの底面には、モルト等のフィルター４ｄ並びに釘状固定子（図示せず）等を介して液化ガス吸上部材４ｅが装着されている。この液化ガス吸上部材４ｅは、上端が集熱筒４ｇに連結支持され下端が前記ガスタンク２内に延出すべく組み付けられたチューブ管からなり、必要に応じて中に焼結芯等を充填使用したり或いは外周面にガスタンク２内の液化ガスと接触すべく切欠孔を開口させても良い。
【００２２】
また、前記ノズル底栓体４ｂの外周面には環状溝を介してＯリング４ｆが嵌合されており、外接する透孔３ｂの内周面とのシールド性を保持していることは云うまでもない。
【００２３】
一方、前記ガス噴出ノズル４ｃの上には、内燃機構６が組み付けされている。この内燃機構６は、図３に拡大して示すように、前記ガス噴出ノズル４ｃの噴出口に封緘されたノズルプレート６ａと、該ノズルプレート６ａを内設すべく前記ガス噴出ノズル４ｃの上端に被冠された混合管６ｂと、該混合管６ｂの上部に連設された拡散器６ｃと、該拡散器６ｃを内装すべく接合された燃焼筒６ｄとを備えており、斯かる混合管６ｂ、拡散器６ｃ、燃焼筒６ｄを後述する取付ホルダー９に支持せしめている。
【００２４】
前記ノズルプレート６ａは、中央に穿孔６ａ１  を有した筒蓋６ａ２  と、該筒蓋６ａ２  の中に配設されるプレート本体６ａ３  とからなり、ガス噴出ノズル４ｃから噴出される気化ガスの流速を更に加速せしめるもので、必要により前記穿孔６ａ１  の下面側に微孔径のフィルター（図示せず）が装着されるものである。
【００２５】
また、前記混合管６ｂは、中空の筒体に成形されており、図３若しくは図４に示すように、半径方向に複数の吸気孔６ｂ１  ，６ｂ１  が開口されている。この吸気孔６ｂ１  ，６ｂ１  は、前記ノズルプレート６ａの穿孔６ａ１  を通過する燃料ガスが流速を強めて噴出されることによって生ずる負圧を利用して空気を吸い込むもので、燃料ガスと空気との混合を促進せしめるものである。
【００２６】
更に、この混合管６ｂの外周面には、図４に示すように、連結部材６ｂ２  が突設されている。この連結部材６ｂ２  は、後述する取付ホルダー９の連結部に着脱自在に係合支持されるものであり、同取付ホルダー９を所定位置に配置した際、混合管６ｂの下端開口が、前記ノズルプレート６ａの外周に嵌挿されるべくガス噴出ノズル４ｃ上に組み付けられるものである。
【００２７】
また、該混合管６ｂの上位には拡散器６ｃが連設されている。この拡散器６ｃは、上下方向（同軸方向）に貫通した噴出路６ｃ１  と、該噴出路６ｃ１  と連通する複数の拡散孔６ｃ２  ，６ｃ２  …とが形成されている。
【００２８】
この拡散孔６ｃ２  ，６ｃ２  …は、混合管６ｂ側から流入してくる混合ガスが拡散器６ｃの頂面に当接して逆噴流を惹起せしめるように前記噴出路６ｃ１  の入口側（下端側）よりも小孔に縮径させており、ガスの混合を更に促進させながら効果的に混合ガスを拡散せしめるものである。
【００２９】
更に、燃焼筒６ｄは、上下両端が開口した中空の筒体からなり、下端開口に前記拡散器６ｃを固定すべく連結支持すると共に、上端側を後述する取付ホルダー９に固定された放電端子８に連結支持せしめている。
【００３０】
換言すれば、この燃焼筒６ｄは、壁面に形成された連結孔（図示せず）を、取付ホルダー９に固定された絶縁子（碍子）７に貫通支持させることにより（図３参照）、前記拡散器６ｃと同心状に組み付けされるべく位置決め固定されるのである。
【００３１】
前記取付ホルダー９は、図５及至図６に示すように、上端に前記放電端子８を支持するための支持部９ａと、一端が後述する圧電ユニット１３の一方の電極に接続され他端が上位の放電端子８に接続される導電線１０を案内支持するためのガイド溝９ｂを有する案内部９ｃと、該案内部９ｃの着火操作子側に突出すべく形成されて圧電ユニット１３を着脱自在に保持するための取付部９ｄと、前記案内部９ａのバルブ機構側に突設された連結部９ｅとを備えている。
【００３２】
前記支持部９ａは、前記絶縁子７を上から嵌合できるように上端側が解放された支持溝９ａ１  を備えており、該支持溝９ａ１  に前記ガイド溝９ｂが連通されている。
【００３３】
また、前記案内部９ｃは、上端側が前記燃焼筒６ｄに、下端側が圧電ユニット取付用の縦穴３ｃの底面に至るように成形された段差部材からなり、その長手方向の中心位置に沿ってガイド溝９ｂが形成されている。
【００３４】
更に、前記連結部９ｅは、前記混合管６ｂの連結部材６ｂ２  を下から受けるべく突設されたスリット溝からなり、両者は、上下方向にスライドさせることにより簡単に着脱できるものである。
【００３５】
また、この取付ホルダー９の側面には、ライター本体１内の縦穴３ｃに挿着支持された際、後述する弁操作レバー１１の解放端１１ｂ下に係止される係止部９ｆを備えている。
【００３６】
従って、この取付ホルダー９は、前記取付部９ｄ内に圧電ユニット１３を差し込むだけで、換言すれば、前記取付部９ｄのガード板９ｄ１  ，９ｄ１  間に着脱自在に挿着するだけで、予め同取付ホルダー９に組み付けてある導電線１０と電気的に接続でき、更に、斯かる取付ホルダー９をタンク上蓋３の前記縦孔３ｃ内に挿着するだけで、簡単に内燃機構６の位置決めがなされて前記ガス噴出ノズル４ｃの上位に整合配置されると共に、前記弁操作レバー１１の解放端１１ｂ下に前記係止部９ｆが係合するため、安易な抜け落ちを阻止すべく抜け止めできる。
【００３７】
他方、この内燃式ガスライターＡの着火機構は、図２に示すように、前述したガス噴出ノズル４ｃの頸部に一端が係合された弁操作レバー１１と、該弁操作レバー１１の他端側に連動される着火操作子１２と、該着火操作子１２の押し込み操作により動作させる圧電ユニット１３とから構成されている。
【００３８】
前記弁操作レバー１１は、タンク上蓋３の頂面に突設された軸受け３ｄを支点として上下方向に揺動すべく一方端１１ａを前記ガス噴出ノズル４ｃの頸部に嵌合支持されており、他方端１１ｂが前記着火操作子１２に組み付けられたアース１５で押し下げ操作されることにより、該弁操作レバー１１が前記支点を中心として揺動し前記ガス噴出ノズル４ｃの頸部を引出方向に動作させるものである。
【００３９】
また、前記圧電ユニット１３は、上下方向に伸縮するように相互に嵌め合わされた外箱１３ａと内箱１３ｂとを有し、内箱１３ｂの中には、図示はしないが、圧電素子、ハンマー、復帰バネ等が組み込まれている。
【００４０】
更に、前記着火操作子１２は、図９に示すように、側面に、風防１４内に摺動自在に連結支持するための連結片１２ａ，１２ａが突設されていると共に（図１２参照）、アース１５を着脱自在に内設している。尚、図中１４ａは空気流入孔、１４ｂは係止脚、１４ｃはバーナーキャップである。
【００４１】
また、前記ガス噴出ノズル４ｃの近傍には、ガス量調整螺子１６が回動自在に組み付けられている。このガス量調整螺子１６は、図１３に示すように、前記ノズル螺子４ａの外周に噛合される第１リング体１６ａと、該第１リング体１６ａの上端に連設された間隔保持部１６ｂ，１６ｂと、該間隔保持部１６ｂ，１６ｂの頂端に連設され、かつ、外周面がライター本体１の表面から露呈する第２リング体１６ｃとから構成されている。
【００４２】
このように構成される本発明の内燃式ガスライターＡは、ライター本体１内に予め組み付けられているバルブ４のノズル螺子４ａに、前記第１リング体１６ａを噛合すべく組み付けることにより、前記第２リング体１６ｂがライター本体１の上端開口縁上に位置決め配置されると共に、次いで、ガス噴出ノズル４ｃに弁操作レバー１１の先端側を係合することにより、このガス量調整螺子１６は抜け止めされる。
【００４３】
また、前記取付ホルダー９には、混合管６ｂ、拡散器６ｃ、燃焼筒６ｄ等の内燃機構６と、前記燃焼筒６ｄ内に放電せしめる放電端子８と、該放電端子８と一方の電極とを電気的に接続してなる圧電ユニット１３とを一つに纏めて保持せしめているため、斯かる取付ホルダー９をライター本体１内の縦穴３ｃに挿着支持するだけで、簡単に前記ガス噴出ノズル４ｃ上に前記内燃機構６を整合配置することができるのである。
【００４４】
しかも、炎口１４ｄ内に配設された触媒１８を有する風防１４と、アース１５を内設してなる着火操作子１２とを変位自在に組み付けているため、斯かる状態のまま、ライター本体１内に組み付けた取付ホルダー９を被装すべく上から整合させるだけで、簡単に炎口１４ｄと燃焼筒６ｄとが一体的に連通すると共に、圧電ユニット１３上にアース１５が接触すべく着火操作子１２が装着されるものである。
【００４５】
従って、ライター本体１を握持した手の親指で着火操作子１２を押し下げ操作することにより、圧電ユニット１３を押圧動作して前記放電端子８に火花放電が発生すると共に、ガス噴出ノズル４ｃの頸部が弁操作レバー１１により引出方向に動作されて弁が開き、かつ、前記液化ガス吸上部材４ｅを介して吸い上げられたガスタンク２内の燃料ガスがフィルター４ｄに達し気化する。
【００４６】
また、気化したガスは、フィルター４ｄを透過してノズル底栓体４ｂの弁孔を抜け更にガス噴出ノズル４ｃの半径方向に開口された穿孔（図示せず）を通ってガス噴出路（図示せず）内に達し上端の噴出口から外方へと噴出される。
【００４７】
そして、斯かるガス噴出ノズル４ｃから噴出された気化ガスは、ノズルプーレート６ａの封緘により更に流速を強めて噴出され、同時に斯かる流速で生ずる負圧作用を利用して混合管６ｂの吸気孔６ｂ１  から空気を吸い込み拡散器６ｃへと噴射される。
【００４８】
而して、噴射されたガスと空気の混合ガスは、拡散器６ｃ内の天頂面に当接して逆噴流を惹起せしめ、燃焼効率を向上すべく更に混合されながら天頂の前記噴出路６ｃ１  並びに側面に開口された複数の拡散孔６ｃ２  ，６ｃ２  …を介して燃焼筒６ｄ内へと拡散されることとなり、その瞬間に前記火花放電が引火してバーナー状に着火するのである。因に、図中１７はシールド部材、図中１８は着火時に赤熱される触媒である。
【００４９】
尚、本発明の内燃式ガスライターＡは本実施例に限定されることなく、本発明の目的の範囲内で自由に設計変更し得るものであり、本発明はそれらの全てを包摂するものである。例えば、アース１５としては、図８に示すように、前記着火層阻止１２の中に挿着されて圧電ユニット１３の上端に当接配置される水平板１５ａと、該水平板１５ａの下面に垂下された係止突起１５ｂと、所定位置で前記弁操作レバー１１に当接される接触脚１５ｃとで形成しているが、これに限定されることなく他の形状のアースを使用しても良い。
【００５０】
【発明の効果】
本発明は上述のように構成され、ライター本体内に形成されたガスタンクと、該ガスタンクの上方開口部を気密に閉塞するタンク上蓋と、該タンク上蓋に挿着され上端にノズル螺子を介してガス噴出ノズルを引出自在に突出させたバルブ機構と、前記ガス噴出ノズルの上端側に連通された内燃機構と、圧電素子を打撃機構で打撃して高電圧を生じせしめる圧電ユニット等の点火手段と、前記ガス噴出ノズルのガス噴出量を調整するガス量調整螺子とを備えてなり、かつ、該ガス量調整螺子は、前記ノズル螺子の外周に組み付けられる第１リング体と、該第１リング体の上位に間隔保持部を介して同心配置に連結された第２リング体とからなり、前記第１リング体を前記ノズル螺子に組み付けた際、前記第２リング体がライター本体の上端開口縁上に位置決め配置されると共に、ガス噴出ノズルに係合される弁操作レバーにて抜け止めされ、かつ、少なくとも混合管、拡散器、燃焼筒を備える前記内燃機構と、前記燃焼筒内に放電せしめる放電端子と、該放電端子と一方の電極とを電気的に接続してなる圧電ユニットとを一つに纏めて保持せしめた取付ホルダーを、ライター本体内の縦穴に挿着支持して前記ガス噴出ノズル上に前記内燃機構を整合配置してなる内燃式ガスライターにおいて、
前記取付ホルダーが、前記混合管に突設した連結部材を下から受けるべく突設された連結部と、ライター本体内の縦穴に挿着支持された際、一端がガス噴出ノズルに支持される弁操作レバーの解放端下に係止される係止部とを備えてなることによって、燃焼筒、拡散器、混合管の加重が直接的に取付ホルダーにかかるため、ガス噴出ノズルへ必要以上な加重負担をかけることなく簡単かつコンパクトに混合管、燃焼筒等の内燃機構を組み付けできるといった効果を奏するものである。
【００５５】
このように本発明の内燃式ガスライターは、内燃式ガスライターでありながらも任意にバーナー着火の火力を調整することができると共に、ガス噴出ノズルに加重負担をかけることなく簡単かつコンパクトに混合管、燃焼筒等の内燃機構を組み付けできる他、構成が単純であるため、大量生産に適し価格も低廉なものとして需用者に供給できるなど、本発明を実施することはその実益的価値が甚だ大である。
【図面の簡単な説明】
【図１】本発明に係る内燃式ガスライターの開蓋状態を示す斜視図である。
【図２】同内燃式ガスライターの縦断面図である。
【図３】同内燃式ガスライターの要部を示す拡大縦断面図である。
【図４】混合管と拡散器を示す説明図である。
【図５】同内燃式ガスライターの組み付け分解斜視図である。
【図６】取付ホルダー示す説明図である。
【図７】弁操作レバーを示す説明図である。
【図８】着火操作子内に組み付けられるアースを示す説明図である。
【図９】風防と着火操作子とアースとの組立連結を示す斜視図である。
【図１０】風防の説明図である。
【図１１】着火操作子の説明図である。
【図１２】風防と着火操作子との連結状態を示す底面図である。
【図１３】本実施例で使用するガス量調整螺子の説明図である。
【図１４】従来の内燃式ガスライターの内燃機構を示す要部縦断面図である。
【符号の説明】
１  ライター本体
２    ガスタンク
３  タンク上蓋
３ａ    嵌合凹部
３ｂ    透孔
３ｃ    縦穴
３ｄ    軸受け
４    バルブ
４ａ    ノズル螺旋
４ｂ    ノズル底栓体
４ｃ    ガス噴出ノズル
４ｄ    フィルター
４ｅ    液化ガス吸上部材
４ｆ    Ｏリング
４ｇ  集熱筒
５    蓋体
６  内燃機構
６ａ  ノズルプレート
６ａ１  穿孔
６ａ２  筒蓋
６ａ３  プレート本体
６ｂ    混合管
６ｂ１  吸気孔
６ｂ２  連結部材
６ｃ  拡散器
６ｃ１  噴出路
６ｃ２  拡散孔
６ｄ  燃焼筒
７  絶縁子
８  放電端子
９  取付ホルダー
９ａ  支持部
９ａ１  支持溝
９ｂ    ガイド溝
９ｃ    案内部
９ｄ    取付部
９ｄ１  ガード板
９ｅ    連結部
９ｆ  係止部
１０  導電線
１１  弁操作レバー
１１ａ    一方端
１１ｂ    他方端
１２  着火操作子
１２ａ    連結片
１３  圧電ユニット
１３ａ  外箱
１３ｂ    内箱
１４    風防
１４ａ  空気流入孔
１４ｂ  係止脚
１４ｃ  バーナーキャップ
１４ｄ  炎口
１５    アース
１５ａ  水平板
１５ｂ  係止突起
１５ｃ  接触脚
１６    ガス量調整螺子
１６ａ  第１リング体
１６ｂ  間隔保持部
１６ｃ  第２リング体
１７  シールド部材
１８  触媒
【図１】
0003589776.tif 000002
【図２】
0003589776.tif 000003
【図３】
0003589776.tif 000004
【図４】
0003589776.tif 000005
【図５】
0003589776.tif 000006
【図６】
0003589776.tif 000007
【図７】
0003589776.tif 000008
【図８】
0003589776.tif 000009
【図９】
0003589776.tif 000010
【図１０】
0003589776.tif 000011
【図１１】
0003589776.tif 000012
【図１２】
0003589776.tif 000013
【図１３】
0003589776.tif 000014
【図１４】
0003589776.tif 000015